(57)【要約】【課題】ページデータに含まれるオブジェクトを確認する時のユーザーの負担が軽減する画像形成装置を提供する。【解決手段】画像形成装置１は、抽出部１１と、生成部１２と、出力部２０とを備える。抽出部１１は、各々がオブジェクトＧ及びテキストＴを含む少なくとも２つのページデータＰＤから、複数のオブジェクトＧを抽出する。生成部１２は、抽出部１１によって抽出された複数のオブジェクトＧを集約して、集約後の複数のオブジェクトＧを含む集約画像Ａを示す集約データＤ１を生成する。出力部２０は、集約データＤ１に基づいて、集約画像Ａを出力する。【選択図】図６
2020127142.tif 000002
【特許請求の範囲】
【請求項１】
シートに画像を形成する画像形成装置であって、
各々がオブジェクト及びテキストを含む少なくとも２つのページデータから、複数の前記オブジェクトを抽出する抽出部と、
前記抽出部によって抽出された前記複数のオブジェクトを集約して、集約後の前記複数のオブジェクトを含む集約画像を示す集約データを生成する生成部と、
前記集約データに基づいて、前記集約画像を出力する出力部と
を備える、画像形成装置。
【請求項２】
前記生成部は、前記集約データに前記複数のオブジェクトにそれぞれ対応する複数の画質指示欄画像を含め、
前記複数の画質指示欄画像の各々は、前記オブジェクトの画質を調整するための項目に対応し、
前記出力部は、前記集約データに基づいて、前記集約画像と前記複数の画質指示欄画像とを出力する、請求項１に記載の画像形成装置。
【請求項３】
前記画質指示欄画像に情報が付加された後に、前記集約画像と前記複数の画質指示欄画像とを読み取る読取部と、
前記読取部の読取結果から、前記画質指示欄画像に付加された前記情報を解析する解析部と、
前記解析部の解析結果に基づいて前記複数のオブジェクトの画質を調整する調整部と
をさらに備える、請求項２に記載の画像形成装置。
【請求項４】
前記生成部は、画質を調整された前記複数のオブジェクトを集約して、集約後の前記複数のオブジェクトを含む集約画像を示す新たな集約データを生成する、請求項３に記載の画像形成装置。
【請求項５】
前記生成部は、前記ページデータに含まれる前記画質を調整する前のオブジェクトを、前記画質を調整された後のオブジェクトに置き換えて、新たなページデータを生成する、請求項３に記載の画像形成装置。
【請求項６】
前記抽出部による抽出の対象である前記オブジェクトの種類を受け付ける受付部をさらに備え、
前記抽出部は、前記受付部が受け付けた前記種類のオブジェクトを前記ページデータから抽出し、
前記オブジェクトの種類は、ピクチャー、表、グラフ及び線図である、
請求項１から請求項４のいずれか１項に記載の画像形成装置。
【請求項７】
シートに画像を形成する画像形成装置であって、
オブジェクト及びテキストを含むページデータから、前記オブジェクトを抽出する抽出部と、
前記抽出部によって抽出された前記オブジェクトと画質指示欄画像とを表示する表示部と
を備え、
前記画質指示欄画像は、前記オブジェクトの画質を調整するための項目に対応する、画像形成装置。
【請求項８】
前記画質指示欄画像への情報の入力を受け付ける受付部と、
前記受付部の受付結果に応じて前記オブジェクトの画質を調整する調整部と
前記ページデータに含まれる前記画質を調整する前のオブジェクトを、前記画質を調整された後のオブジェクトに置き換えて、新たなページデータを生成する生成部と
をさらに備える、請求項７に記載の画像形成装置。
【発明の詳細な説明】
【技術分野】
【０００１】
本発明は、画像形成装置に関する。
【背景技術】
【０００２】
特許文献１に記載のＰＤＦ印刷方法では、ＰＤＦ（Ｐｏｒｔａｂｌｅ  Ｄｏｃｕｍｅｎｔ  Ｆｏｒｍａｔ）文書内の複数のテキストコンテンツのみが記録媒体上に印刷され、図形および／または画像コンテンツは印刷されない。
【先行技術文献】
【特許文献】
【０００３】
【特許文献１】特開２００９−１８７５５３号公報
【発明の概要】
【発明が解決しようとする課題】
【０００４】
しかしながら、ページデータ内のオブジェクトのみを確認したいことがあった。この場合、ページデータからテキストは抽出せず、オブジェクトのみを出力させたいとする要望があった。
【０００５】
本発明は上記課題に鑑みてなされたものであり、その目的は、ページデータに含まれるオブジェクトを確認する時のユーザーの負担が軽減する画像形成装置を提供することにある。
【課題を解決するための手段】
【０００６】
本発明の第１の観点によれば、画像形成装置は、シートに画像を形成する。画像形成装置は、抽出部と、生成部と、出力部とを備える。抽出部は、各々がオブジェクト及びテキストを含む少なくとも２つのページデータから、複数の前記オブジェクトを抽出する。生成部は、前記抽出部によって抽出された前記複数のオブジェクトによって示される複数のオブジェクトを集約して、集約後の前記複数のオブジェクトを示す集約データを生成する。出力部は、前記集約データに基づいて、集約後の前記複数のオブジェクトを出力する。
【０００７】
本発明の第２の観点によれば、画像形成装置は、シートに画像を形成する。画像形成装置は、抽出部と、表示部とを備える。抽出部は、オブジェクト及びテキストを含むページデータから、前記オブジェクトを抽出する。表示部は、前記抽出部によって抽出された前記オブジェクトと画質指示欄画像とを表示する。前記画質指示欄は、前記オブジェクトの画質を調整するための項目に対応する。
【発明の効果】
【０００８】
本発明によれば、ページデータに含まれるオブジェクトを確認する時のユーザーの負担が軽減する。
【図面の簡単な説明】
【０００９】
【図１】本発明の実施形態１に係る画像形成装置を示す図である。
【図２】実施形態１に係るページデータを示す図である。
【図３】（ａ）は、実施形態１に係る第１選択画面を示す図である。（ｂ）は、実施形態１に係る第２選択画面を示す図である。
【図４】実施形態１に係る確認画面を示す図である。
【図５】実施形態１に係る集約データを示す図である。
【図６】実施形態１に係る画像形成装置が実行する処理を示すフローチャートである。
【図７】実施形態２に係る集約データを示す図である。
【図８】実施形態２に係る新たな集約データを示す図である。
【図９】実施形態２に係る画像形成装置が実行する処理を示すフローチャートである。
【図１０】実施形態２に係る画像形成装置が実行する画質調整処理を示すフローチャートである。
【図１１】実施形態３に係る画質調整画面を示す図である。
【図１２】実施形態３に係る画像形成装置が実行する処理を示すフローチャートである。
【発明を実施するための形態】
【００１０】
以下、図面を参照して本発明の実施形態を説明する。ただし、本発明は以下の実施形態に限定されない。図中、同一又は相当部分については同一の参照符号を付して説明を繰り返さない。
【００１１】
（実施形態１）
まず、図１を参照して、実施形態１に係る画像形成装置１について説明する。図１は、画像形成装置１を示す図である。画像形成装置１は、制御部１０と、画像形成部２０と、読取部３０と、表示部４０と、通信部とを備える。
【００１２】
制御部１０は、プロセッサー及び記憶部を備える。プロセッサーは、例えばＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）を含む。記憶部は、半導体メモリーのようなメモリーを備え、ＨＤＤ（Ｈａｒｄ  Ｄｉｓｋ  Ｄｒｉｖｅ）を備えてもよい。記憶部は、コンピュータープログラムを記憶している。制御部１０は、画像形成装置１の各要素を制御する。具体的には、制御部１０が、記憶部に格納されたコンピュータープログラムを実行することにより、画像形成部２０、読取部３０及び表示部４０を制御する。また、制御部１０は、記憶部に記憶されたコンピュータープログラムを実行することにより、抽出部１１、生成部１２、解析部１３、調整部１４及び受付部１５として機能する。つまり、制御部１０は、抽出部１１、生成部１２、解析部１３、調整部１４及び受付部１５を含む。抽出部１１、生成部１２、解析部１３、調整部１４及び受付部１５の詳細については後述する。
【００１３】
画像形成部２０は、シートに画像を形成する。詳細には、画像形成部２０は、カセットから供給されたシートに画像を形成する。画像形成部２０は、感光体ドラムと、帯電部と、露光部と、現像部と、転写部と、クリーニング部と、除電部とを含む。感光体ドラム、帯電部、露光部、現像部、及び転写部によって、シートに画像が形成される。クリーニング部は、感光体ドラムの表面に残留しているトナーを除去する。除電部は、感光体ドラムの表面の残留電荷を除去する。画像形成部２０は、シートに画像を形成した後、シートを定着部に向けて送出する。定着部は、画像を加熱及び加圧してシートに定着させる。画像形成部２０は、「出力部」の一例に相当する。
【００１４】
読取部３０は、シートに形成された画像を読み取る。例えば、読取部３０は、原稿Ｐに形成された画像を読み取る。そして、読取部３０はページデータＰＤを生成する。原稿Ｐ及びページデータＰＤの詳細については後述する。
【００１５】
表示部４０は、画像を表示すると共に、ユーザーからの操作を受け付ける。表示部４０は、ディスプレー４１及びタッチセンサー４２を備える。ディスプレー４１は、例えば、液晶パネル、又は有機エレクトロルミネッセンス（有機ＥＬ）パネルである。タッチセンサー４２は、ユーザーからの操作を受け付け、ユーザーの操作に応じた操作信号を制御部１０に入力する。タッチセンサー４２は、例えばディスプレー４１の表示面上に配置される。
【００１６】
通信部は、データの送信及び受信を行う。通信部は、例えば、画像形成装置１の品質データと、各ユニットの状態データとのうちの少なくとも１つをサービスセンターに送信する。また、通信部は、例えば、サービスセンターから画像形成装置１への設定を行うためのインターフェイスとして機能する。
【００１７】
次に、図１〜図５を参照して、集約データＤ１について説明する。まず、図２を参照して、原稿Ｐについて説明する。図２は、原稿Ｐの一例を示す図である。本実施形態において、原稿Ｐは複数のページＰ１〜Ｐ３を有する。ページＰ１は、テキストＴ１及びオブジェクトＧ１を含む。ページＰ２は、テキストＴ２を含む。ページＰ３は、テキストＴ３、オブジェクトＧ２、及びオブジェクトＧ３を含む。ここで、オブジェクトＧ１〜Ｇ３は、例えば、ピクチャー、表及びグラフのことであり、テキストＴ１〜Ｔ３とは異なる。つまり、本実施形態において、オブジェクトＧ１〜Ｇ３の種類は、ピクチャー、表及びグラフである。具体的には、本実施形態において、オブジェクトＧ１の種類はピクチャーである。オブジェクトＧ２の種類は表である。オブジェクトＧ３の種類はグラフである。
【００１８】
次に、図２を参照して、ページデータＰＤについて説明する。本実施形態において、読取部３０が原稿Ｐに形成された画像を読み取って、ページデータＰＤを生成する。ページデータＰＤは少なくとも２つである。ページデータＰＤは、例えば、ビットマップイメージデータである。図２に示すように、複数のページデータＰＤは、ページデータＰＤ１〜ＰＤ３を有する。複数のページデータＰＤは、各々がオブジェクトＧ１〜Ｇ３及びテキストＴ１〜Ｔ３を含む。本実施形態において、ページデータＰＤ１は、テキストＴ１及びオブジェクトＧ１を含む。ページデータＰＤ２は、テキストＴ２を含む。ページデータＰＤ３は、テキストＴ３、オブジェクトＧ２、及びオブジェクトＧ３を含む。テキストＴ１〜Ｔ３及びオブジェクトＧ１〜Ｇ３は、例えば、ビットマップイメージデータである。
【００１９】
ここで、テキストＴ１〜Ｔ３は、記号を表す。記号は、例えば、ひらがな、カタカナ、漢字、及びアルファベットのような文字、数字、並びにマークのうちの少なくとも１つを含む。オブジェクトＧ１〜Ｇ３は、ピクチャー、表、又はグラフを表す。オブジェクトＧ１〜Ｇ３の種類は、ピクチャー、表、及びグラフである。
【００２０】
以下、ページデータＰＤ１とページデータＰＤ２とページデータＰＤ３とを区別して説明する必要のないときは、ページデータＰＤ１、ページデータＰＤ２、及びページデータＰＤ３を総称して「ページデータＰＤ」と記載する。また、オブジェクトＧ１とオブジェクトＧ２とオブジェクトＧ３とを区別して説明する必要のないときは、オブジェクトＧ１、オブジェクトＧ２、及びオブジェクトＧ３を総称して「オブジェクトＧ」と記載する。さらに、テキストＴ１とテキストＴ２とテキストＴ３とを区別して説明する必要のないときは、テキストＴ１、テキストＴ２、及びテキストＴ３を総称して「テキストＴ」と記載する。
【００２１】
次に、図３（ａ）を参照して、ページデータＰＤから抽出されるオブジェクトＧの種類の指定について説明する。図３（ａ）は、第１選択画面５０を示す図である。ページデータＰＤが生成された後に、表示部４０は、第１選択画面５０を表示する。第１選択画面５０では、受付部１５は、ページデータＰＤから抽出するオブジェクトＧの種類の指定を受け付ける。図３（ａ）に示すように、第１選択画面５０は、Ｏｆｆボタン５１、自動ボタン５２、ピクチャーボタン５３、グラフボタン５４、表ボタン５５、キャンセルボタン５６及びＯＫ５７ボタンを含む。
【００２２】
Ｏｆｆボタン５１は、ページデータＰＤからオブジェクトＧを抽出しないためのボタンである。Ｏｆｆボタン５１が選択されると、ページデータＰＤからオブジェクトＧが抽出されない。
【００２３】
自動ボタン５２、ピクチャーボタン５３、グラフボタン５４、及び表ボタン５５は、ページデータＰＤから抽出するオブジェクトＧの種類を指定するためのボタンである。具体的には、自動ボタン５２は、オブジェクトＧの種類として、全ての種類を指定するためのボタンである。ピクチャーボタン５３は、オブジェクトＧの種類として、ピクチャーを指定するためのボタンである。グラフボタン５４は、オブジェクトＧの種類として、グラフを指定するためのボタンである。表ボタン５５は、オブジェクトＧの種類として、表を指定するためのボタンである。
【００２４】
自動ボタン５２、ピクチャーボタン５３、グラフボタン５４、及び表ボタン５５から選択されたボタンに応じて、受付部１５は、抽出部１１による抽出の対象であるオブジェクトＧの種類を受け付ける。自動ボタン５２が選択されると、受付部１５は、オブジェクトＧの種類として、全ての種類の指定を受け付ける。ピクチャーボタン５３が選択されると、受付部１５は、オブジェクトＧの種類として、ピクチャーの指定を受け付ける。グラフボタン５４が選択されると、受付部１５は、オブジェクトＧの種類として、グラフの指定を受け付ける。表ボタン５５が選択されると、受付部１５は、オブジェクトＧの種類として、表の指定を受け付ける。
【００２５】
キャンセルボタン５６は、ページデータＰＤから抽出されるオブジェクトＧの種類を指定することをキャンセルするためのボタンである。キャンセルボタン５６が選択されると、オブジェクトＧの種類が指定されることなく第１選択画面５０が閉じられる。ＯＫボタン５７は、選択されたボタンに対応する処理を確定するためのボタンである。ＯＫボタン５７が選択されると、Ｏｆｆボタン５１、自動ボタン５２、ピクチャーボタン５３、グラフボタン５４、及び表ボタン５５のうちから選択されたボタンに対応する処理が確定され、第２選択画面６０が表示される。
【００２６】
次に、図３（ｂ）を参照して、ページデータＰＤから抽出されたオブジェクトＧの確認方法の指定について説明する。図３（ｂ）は、第２選択画面６０を示す図である。第２選択画面６０では、受付部１５は、ページデータＰＤから抽出されたオブジェクトＧの確認方法の指定を受け付ける。図３（ｂ）に示すように、第２選択画面６０は、Ｏｆｆボタン６１、印刷ボタン６２、パネルボタン６３、キャンセルボタン６４、及びＯＫボタン６５を含む。
【００２７】
Ｏｆｆボタン６１は、ページデータＰＤから抽出されたオブジェクトＧを確認しないためのボタンである。具体的には、Ｏｆｆボタン５１が選択されると、ページデータＰＤから抽出されたオブジェクトＧが画像形成部２０によって出力されず、また、ページデータＰＤから抽出されたオブジェクトＧが表示部４０に表示されない。
【００２８】
印刷ボタン６２およびパネルボタン６３は、ページデータＰＤから抽出されたオブジェクトＧの確認方法を指定するためのボタンである。印刷ボタン６２が選択されると、受付部１５は、オブジェクトＧの確認方法として、印刷の指定を受け付ける。オブジェクトＧの確認方法として印刷が指定されると、ページデータＰＤから抽出されたオブジェクトＧを含む集約画像Ａがシートに形成され、ユーザーはシートを見てオブジェクトＧの状態を確認する。
【００２９】
一方、パネルボタン６３が選択されると、受付部１５は、オブジェクトＧの確認方法として、パネル表示の指定を受け付ける。オブジェクトＧの確認方法としてパネル表示が指定されると、ページデータＰＤから抽出されたオブジェクトＧが表示部４０に表示され、ユーザーは表示部４０を見てオブジェクトＧの状態を確認する。集約画像Ａについては後述する。
【００３０】
キャンセルボタン６４は、オブジェクトＧの確認方法の指定をキャンセルするためのボタンである。キャンセルボタン６４が選択されると、図３（ａ）で示した第１選択画面５０が表示される。ＯＫボタン６５は、選択されたボタンに対応する確認方法の指定を受け付けるためのボタンである。ＯＫボタン６５が選択されると、受付部１５は、Ｏｆｆボタン６１、印刷ボタン６２、及びパネルボタン６３のうち選択されたボタンに対応する確認方法の指定を受け付ける。本実施形態において、受付部１５は、オブジェクトＧの確認方法として、印刷の指定を受け付ける。
【００３１】
また、ＯＫボタン６５が選択されることに応じて、抽出部１１は、第１選択画面５０において受付部１５が受け付けた種類の複数のオブジェクトＧをページデータＰＤから抽出する。従って、ページデータＰＤからユーザーが所望する種類のオブジェクトＧを抽出できる。その結果、全ての種類のオブジェクトＧが抽出されて、シートに形成されたすべての種類のオブジェクトＧのうちから所望の種類のオブジェクトＧを探すよりも、ユーザーの負担がさらに軽減する。
【００３２】
ここで、抽出部１１がページデータＰＤからオブジェクトＧを抽出する方法について説明する。例えば、抽出部１１は、ページデータＰＤの画素値のレベルに基づいて、テキストＴとオブジェクトＧとを区別する。そして、抽出部１１は、ページデータＰＤからテキストＴを検出し、ページデータＰＤからテキストＴ以外を抽出することによって、ページデータＰＤからオブジェクトＧを抽出する。
【００３３】
また、例えば、抽出部１１は、ページデータＰＤのうちｘ方向とｙ方向とにそれぞれ連続した黒画素（ラン）を検出する。そして、抽出部１１は、一定長を超えるランが存在する領域の近傍を塗りつぶして論理和を求めることにより、テキストＴとオブジェクトＧとの領域を分離して、オブジェクトＧを抽出する。
【００３４】
また、例えば、抽出部１１は、ボロノイ図を用いてページデータＰＤの領域を分割する。ボロノイ図はテキストＴとオブジェクトＧとの間の背景領域に着目してテキストＴとオブジェクトＧとの区切り線を生成する。そして、抽出部１１は、生成した区切り線に基づいてページデータＰＤのうちからオブジェクトＧを抽出する。
【００３５】
次に、図４を参照して確認画面７０について説明する。ページデータＰＤからオブジェクトＧが抽出されると、表示部４０は確認画面７０を表示する。図４は、確認画面７０を示す。確認画面７０では、抽出部１１に抽出されたオブジェクトＧが表示される。本実施形態において、確認画面７０では、抽出部１１に抽出されたオブジェクトＧのうちの１つが表示されている。図４に示すように、確認画面７０は、オブジェクト表示領域７１、変更ボタン７２、ページデータ表示領域７３、ページ番号表示領域７４、キャンセルボタン７５及びＯＫボタン７６を含む。
【００３６】
オブジェクト表示領域７１には、ページデータＰＤから抽出されたオブジェクトＧが表示される。本実施形態において、オブジェクト表示領域７１には、オブジェクトＧ１が表示されている。従って、オブジェクトＧを印刷して確認する前に、表示部４０上でオブジェクトＧの状態を確認できる。その結果、オブジェクトＧの画質の調整が必要である場合、オブジェクトＧを印刷する前に、オブジェクトＧの画質の調整を画像形成装置１に指示できるため、トナー及びシートのような消費財の消費を抑制できる。
【００３７】
ページデータ表示領域７３には、縮小されたページデータＰＤ１が表示されている。具体的には、ページデータ表示領域７３には、オブジェクト表示領域７１に表示されているオブジェクトＧ１を含むページデータＰＤ１が縮小して表示される。従って、オブジェクト表示領域７１に表示されるオブジェクトＧ１のページデータＰＤ１での大まかな位置がわかる。その結果、ユーザーの利便性が向上する。ページ番号表示領域７４には、ページデータＰＤ１のページ番号が表示される。
【００３８】
変更ボタン７２は、オブジェクト表示領域７１に表示されているオブジェクトＧ１を変更するためのボタンである。例えば、変更ボタン７２が選択されると、オブジェクト表示領域７１には、オブジェクトＧ２またはオブジェクトＧ３が表示される。オブジェクト表示領域７１に表示されたオブジェクトＧ１が変更されたことに応じて、ページデータ表示領域７３の表示内容も変更される。例えば、オブジェクト表示領域７１に表示されたオブジェクトＧ１がオブジェクトＧ２に変更された場合、ページデータ表示領域７３には、オブジェクトＧ２を含むページデータＰＤ３が縮小されて表示される。そして、ページ番号表示領域７４には、オブジェクトＧ２を含むページデータＰＤ３のページ番号が表示される。
【００３９】
キャンセルボタン７５は、オブジェクトＧの状態の確認をキャンセルするためのボタンである。キャンセルボタン７５が選択されると、図３（ｂ）で示した第２選択画面６０が表示される。例えば、ユーザーは、オブジェクト表示領域７１に表示されるオブジェクトＧの状態を確認して、オブジェクトＧの画質を調整すると判断する場合、キャンセルボタン７５を選択して、オブジェクトＧの画質を調整する。
【００４０】
ＯＫボタン７６は、ユーザーが表示部４０を見てオブジェクトＧの状態を確認したことを画像形成装置１に通知するためのボタンである。ＯＫボタン７６が選択されると、生成部１２は、抽出部１１によって抽出された複数のオブジェクトＧを集約して、集約後の複数のオブジェクトＧを含む集約画像Ａを示す集約データＤ１を生成する。
【００４１】
次に、図５を参照して集約データＤ１及び集約画像Ａについて説明する。図５は、集約データＤ１を示す。図５に示すように、集約画像Ａは、オブジェクトＧ１〜Ｇ３を含む。集約データＤ１は、集約画像Ａを含む。集約画像Ａでは、集約画像Ａの上から集約画像Ａの下に向かう順序でオブジェクトＧ１〜Ｇ３が配置されている。
【００４２】
画像形成部２０は、集約データＤ１に基づいて、集約画像Ａをシートに形成する。ユーザーは、シートに形成された集約画像Ａに含まれるオブジェクトＧの状態を目視で確認する。従って、ページデータＰＤに含まれるオブジェクトＧ及びテキストＴの全てをシートに形成して確認することなく、シートに形成された状態のオブジェクトＧを確認できる。その結果、ページデータＰＤに含まれるオブジェクトＧを確認する時のユーザーの負担が軽減する。ここで、画像形成部２０が集約データＤ１に基づいて集約画像Ａをシートに形成することは、出力部が集約データＤ１に基づいて集約画像Ａを出力することに相当する。
【００４３】
シートに形成された集約画像Ａに含まれるオブジェクトＧの状態と、ページデータＰＤに基づいてオブジェクトＧ及びテキストＴを全てシートに形成した場合のオブジェクトＧの状態とは同じである。具体的には、シートに形成された集約画像Ａに含まれるオブジェクトＧのサイズ及び画質と、ページデータＰＤに基づいてオブジェクトＧ及びテキストＴを全てシートに形成した場合のオブジェクトＧのサイズ及び画質とは同じである。従って、ユーザーは、シートに形成された集約画像Ａを確認することで、ページデータＰＤに含まれるオブジェクトＧがシートに形成された状態を精度良く確認できる。
【００４４】
ユーザーがシートに形成された集約画像Ａに含まれるオブジェクトＧの状態を確認して、オブジェクトＧの画質を調整すると判断する場合、ユーザーは、例えば、表示部４０を介してオブジェクトＧの画質を調整するための指示を受付部１５に入力する。受付部１５は、オブジェクトＧの画質を調整するための指示を受け付ける。例えば、グレースケールで出力されたオブジェクトＧを、モノクロでシートに形成させるようにオブジェクトＧの画質を調整する場合、ユーザーは、オブジェクトＧのカラー設定をモノクロに変更するように表示部４０を介して受付部１５に入力する。そして、受付部１５は、オブジェクトＧのカラー設定をモノクロに変更する指示を受け付ける。調整部１４は、受付部１５が受け付けたオブジェクトＧの画質を調整する指示に基づいて、オブジェクトＧの画質を調整する。
【００４５】
次に、図６を参照して、実施形態１に係る画像形成装置１が実行する処理について説明する。図６は、画像形成装置１が実行する処理を示すフローチャートである。ステップＳ１０において、受付部１５は、ページデータＰＤを受け付ける。例えば、制御部１０は、読取部３０を制御して原稿Ｐの画像を読み取らせる。その結果、読取部３０が、原稿Ｐの画像を読み取ってページデータＰＤを生成する。受付部１５は、読取部３０が生成したページデータＰＤを受け付ける。受付部１５が受け付けたページデータＰＤは、制御部１０の記憶部に格納される。次に、ステップＳ１５において、受付部１５は、ページデータＰＤから抽出するオブジェクトＧの種類の指定を受け付ける。例えば、ユーザーは、オブジェクトＧの全ての種類を指定し、受付部１５は、全ての種類の指定を受け付ける。
【００４６】
次に、ステップＳ２０において、受付部１５は、オブジェクトＧの確認方法の指定を受け付ける。本実施形態において、受付部１５は、オブジェクトＧの確認方法として印刷の指定を受け付ける。ステップＳ２５において、抽出部１１は、ページデータＰＤからステップＳ１５で指定された種類のオブジェクトＧを抽出する。
【００４７】
次に、ステップＳ３０において、制御部１０は、表示部４０を制御してステップＳ２５で抽出されたオブジェクトＧを表示させる。その結果、表示部４０は、ステップＳ２５で抽出されたオブジェクトＧを表示する。ユーザーは、表示部４０を見てオブジェクトＧの状態を確認する。ステップＳ３５において、生成部１２は、ステップＳ２５で抽出されたオブジェクトＧを集約して、集約後の複数のオブジェクトＧを含む集約画像Ａを示す集約データＤ１を生成する。
【００４８】
次に、ステップＳ４０において、制御部１０は、画像形成部２０を制御してステップＳ３５で生成された集約データＤ１に基づく集約画像Ａをシートに形成させる。その結果、画像形成部２０は、集約データＤ１に基づいて、集約画像Ａをシートに形成する。つまり、集約後の複数のオブジェクトＧを含む集約画像Ａがシートに形成される。ユーザーは、シートを見て集約後の複数のオブジェクトＧのそれぞれの状態を確認する。
【００４９】
ユーザーがオブジェクトＧの画質を調整すると判断する場合、ユーザーは、表示部４０を介してオブジェクトＧの画質を調整する指示を画像形成装置１に入力する。そして、受付部１５は、オブジェクトＧの画質を調整する指示を受け付ける。一方、ユーザーがオブジェクトＧの画質を調整しないと判断する場合、すなわち、オブジェクトＧの画質の調整が不要であると判断する場合、ユーザーは、表示部４０を介して原稿Ｐの画像をシートに形成する指示を画像形成装置１に入力する。そして、受付部１５は原稿Ｐの画像をシートに形成する指示を受け付ける。つまり、受付部１５はページデータＰＤに基づいて、オブジェクトＧ及びテキストＴをシートに形成する指示を受け付ける。
【００５０】
次に、ステップＳ４５において、受付部１５は、原稿Ｐの画像をシートに形成する指示を受け付けた否かを判定する。ステップＳ４５において、否定的判定（ＮＯ）がされる場合、すなわち、ステップＳ４０において受付部１５が原稿Ｐの画像をシートに形成する指示を受け付けなかった場合、処理はステップＳ５５に進む。ステップＳ５５において、調整部１４は、ステップＳ４０で受け付けたオブジェクトＧの画質を調整する指示に基づいて、オブジェクトＧの画質を調整し、処理はステップＳ３０に進む。そして、表示部４０は、画質を調整されたオブジェクトＧを表示する。
【００５１】
一方、ステップＳ４５において、肯定的判定（ＹＥＳ）がされる場合、すなわち、ステップＳ４０において受付部１５が原稿Ｐの画像をシートに形成する指示を受け付けた場合、処理はステップＳ５０に進む。
【００５２】
ステップＳ５０において、ステップＳ５５で調整部１４がオブジェクトＧの画質を調整した場合、生成部１２は、ページデータＰＤに含まれるオブジェクトＧを、画質を調整された後のオブジェクトＧに置き換えて新たなページデータＰＤを生成する。そして、制御部１０は、画像形成部２０を制御して、新たなページデータＰＤに基づいて、オブジェクトＧ及びテキストＴをシートに形成させる。その結果、画像形成部２０は、新たなページデータＰＤに基づいてテキストＴ及びオブジェクトＧをシートに形成する。
【００５３】
一方、ステップＳ５０において、ステップＳ４０でオブジェクトＧの画質を調整する指示が画像形成装置１に入力されていない場合、制御部１０は、画像形成部２０を制御して、ステップＳ１０で受け付けたページデータＰＤに基づいて、オブジェクトＧ及びテキストＴをシートに形成させる。その結果、画像形成部２０は、ステップＳ１０で受け付けたページデータＰＤに基づいてテキストＴ及びオブジェクトＧをシートに形成する。
【００５４】
以上、図６を参照して説明したように、本実施形態によれば、ページデータＰＤから複数のオブジェクトＧが抽出され、抽出された複数のオブジェクトＧが集約され、集約後の複数のオブジェクトＧがシートに形成される。従って、原稿Ｐが有する全てのページＰの画像をシートに形成することなく、オブジェクトＧがシートに形成された状態を確認できる。その結果、トナー及びシートのような消費財の消費を抑制できる。
【００５５】
（実施形態２）
次に、図１〜４、図７及び図８を参照して実施形態２に係る画像形成装置１について説明する。実施形態２では、実施形態１に係る集約データＤ１に画質指示欄画像Ｑ１〜Ｑ３が含まれている点で、実施形態２は実施形態１と異なる。以下、実施形態２について、実施形態１と異なる事項について説明し、実施形態１と重複する部分についての説明は割愛する。
【００５６】
図７は、実施形態２に係る集約データＤ２を示す。図７に示すように、生成部１２は、実施形態１に係る集約データＤ１に複数のオブジェクトＧ１〜Ｇ３にそれぞれ対応する複数の画質指示欄画像Ｑ１〜Ｑ３を含めて、実施形態２に係る集約データＤ２を生成する。すなわち、集約データＤ２は、オブジェクトＧ１〜Ｇ３を含む集約画像Ａと画質指示欄画像Ｑ１〜Ｑ３とを含む。画質指示欄画像Ｑ１〜Ｑ３は、複数のオブジェクトＧ１〜Ｇ３にそれぞれ対応する。具体的には、オブジェクトＧ１は、画質指示欄画像Ｑ１に対応する。オブジェクトＧ２は、画質指示欄画像Ｑ２に対応する。オブジェクトＧ３は、画質指示欄画像Ｑ３に対応する。
【００５７】
複数の画質指示欄画像Ｑ１〜Ｑ３のそれぞれの内容は同じである。複数の画質指示欄画像Ｑ１〜Ｑ３の各々は、調整部１４がオブジェクトＧ１〜Ｇ３のそれぞれの画質を調整するための項目に対応している。具体的には、画質指示欄画像Ｑ１〜Ｑ３には、「カラー」、「画像処理」、「濃度」及び「色調強調」が含まれる。「カラー」は、オブジェクトＧのカラーモードを設定するための項目である。「画像処理」は、オブジェクトＧに行われる画像処理を設定するための項目である。「濃度」は、オブジェクトＧの濃度を調整するための項目である。「色調強調」は、オブジェクトＧの色味を設定するための項目である。
【００５８】
以下、画質指示欄画像Ｑ１と画質指示欄画像Ｑ２と画質指示欄画像Ｑ３とを区別して説明する必要のないときは、画質指示欄画像Ｑ１、画質指示欄画像Ｑ２、及び画質指示欄画像Ｑ３を総称して「画質指示欄画像Ｑ」と記載する。
【００５９】
画像形成部２０は、集約データＤ２に基づいて、集約画像Ａと複数の画質指示欄画像Ｑとをシートに形成する。ユーザーは、シートを見て、オブジェクトＧがシートに形成された状態を確認する。ユーザーがオブジェクトＧの画質を調整すると判断する場合、ユーザーは、シートの画質指示欄画像Ｑの該当する項目に情報を付加する。具体的には、ユーザーは、シートの画質指示欄画像Ｑの該当する項目にチェックマークを記入する。例えば、オブジェクトＧ１をモノクロで出力するように変更する場合、ユーザーは、画質指示欄画像Ｑ１の「カラー」項目の「モノクロ」の欄Ｃにチェックマークを記入する。従って、ユーザーは、オブジェクトＧがシートに形成された状態を見ながら、オブジェクトＧの画質の調整を指示するための情報を付加できる。その結果、ユーザーの利便性が向上する。
【００６０】
ユーザーは、チェックマークを記入したシート、すなわち画質指示欄画像Ｑに情報を付加したシートを読取部３０に読み取らせる。その結果、画質指示欄画像Ｑに情報が付加された後に、読取部３０は、集約画像Ａと情報が付加された画質指示欄画像Ｑとが形成されたシートを読み取る。解析部１３は、読取部３０の読取結果から、画質指示欄画像Ｑに付加された情報を解析する。本実施形態において、解析部１３は、画質指示欄画像Ｑ１の「モノクロ」の欄Ｃにチェックマークが記入されていることを解析する。
【００６１】
調整部１４は、解析部１３の解析結果に基づいてオブジェクトＧの画質を調整する。本実施形態において、生成部１２は、オブジェクトＧ１のカラーモードを「モノクロ」に設定する。従って、情報が付加された画質指示欄画像Ｑを読取部３０に読み取らせるだけで、オブジェクトＧの画質を調整するための操作が完了する。その結果、ユーザーがオブジェクトＧの画質を調整するための操作を簡略化することができる。
【００６２】
次に、図８を参照して画質を調整されたオブジェクトＧについて説明する。図８は、画質を調整されたオブジェクトＧを示す。図８に示すように、生成部１２は、画質を調整された複数のオブジェクトＧを集約して、集約後の複数のオブジェクトＧを含む集約画像Ａを示す新たな集約データＤ３を生成する。本実施形態において、生成部１２は、新たな集約データＤ３に画質指示欄画像Ｑを含める。図８に示すように、オブジェクトＧ１の画質は、モノクロに調整されている。
【００６３】
次に、図８を参照して、シートに形成された画質調整後のオブジェクトＧについて説明する。画像形成部２０は、集約データＤ３に基づいて、画質を調整された複数のオブジェクトＧを含む集約画像Ａと画質指示欄画像Ｑとをシートに形成する。ユーザーは、画質が調整されたオブジェクトＧがシートに形成された状態を目視で確認する。従って、新たな集約データＤ３に基づいてシートに形成された新たな集約画像Ａを確認すれば、ページデータＰＤに含まれるテキストＴをシートに形成させることなく、画質を調整された後のオブジェクトＧがシートに形成された状態を確認できる。その結果、ユーザーの負担が軽減する。
【００６４】
ユーザーがオブジェクトＧの画質をさらに調整すると判断する場合、ユーザーは、再び画質指示欄画像Ｑに情報を付加し、画質指示欄画像Ｑに情報を付加したシートを読取部３０に読み取らせる。一方、ユーザーがオブジェクトＧの画質を調整しないと判断する場合、ユーザーは、表示部４０を介して原稿Ｐの画像をシートに形成する指示を画像形成装置１に入力する。原稿Ｐの画像をシートに形成する指示が画像形成装置１に入力されると、生成部１２は、ページデータＰＤに含まれる画質を調整する前のオブジェクトＧを、画質を調整された後のオブジェクトＧに置き換えて、新たなページデータＰＤを生成する。そして、画像形成部２０は、新たなページデータＰＤに基づいて、テキストＴ及び画質を調整された後のオブジェクトＧをシートに形成する。このとき、集約データＤ３に基づいてシートに形成された集約画像Ａに含まれるオブジェクトＧの状態と、新たなページデータＰＤに基づいてシートに形成されたオブジェクトＧの状態とは同じである。
【００６５】
次に、図９を参照して、実施形態２に係る画像形成装置１が実行する処理について説明する。図９は、画像形成装置１が実行する処理を示すフローチャートである。ステップＳ１００〜ステップＳ１２５は、図６のステップＳ１０〜ステップＳ３５と処理内容が同じであり、説明を省略する。
【００６６】
ステップＳ１３０において、制御部１０は、画像形成部２０を制御してステップＳ１２５で生成された集約データＤ２に基づく集約画像Ａ及び画質指示欄画像Ｑをシートに形成させる。その結果、画像形成部２０は、集約データＤ２に基づいて、集約画像Ａ及び画質指示欄画像Ｑをシートに形成する。つまり、集約後の複数のオブジェクトＧと画質指示欄画像Ｑとがシートに形成される。ユーザーはオブジェクトＧを目視で確認する。オブジェクトＧの画質を調整する場合、ユーザーは、シートに形成された画質指示欄画像Ｑの該当する項目に情報を付加する。一方、ユーザーがオブジェクトＧの画質を調整しないと判断する場合、すなわち、オブジェクトＧの画質の調整が不要であると判断する場合、ユーザーは、表示部４０を介して原稿Ｐの画像の出力指示を画像形成装置１に入力する。そして、受付部１５は、原稿Ｐの画像の出力指示を受け付ける。
【００６７】
次に、ステップＳ１３５において、受付部１５は、原稿Ｐの画像の出力指示を受け付けた否かを判定する。ステップＳ１３５において、否定的判定（ＮＯ）がされる場合、すなわち、受付部１５がステップＳ１３０において画像形成装置１に原稿Ｐの画像の出力指示を受け付けなかった場合、処理はステップＳ１５０に進む。ステップＳ１５０において、画像形成装置１は、画質調整処理を実行する。
【００６８】
一方、ステップＳ１３５において、肯定的判定（ＹＥＳ）がされる場合、すなわち、受付部１５がステップＳ１３０で原稿Ｐの画像の出力指示を受け付けた場合、処理はステップＳ１４０に進む。
【００６９】
ステップＳ１４０において、ステップＳ１５０でオブジェクトＧに対して画質調整処理が実行されている場合、生成部１２は、ページデータＰＤに含まれる画質を調整する前のオブジェクトＧを、画質を調整された後のオブジェクトＧに置き換えて、新たなページデータＰＤを生成する。一方、ステップＳ１５０でオブジェクトＧに対して画質調整処理が実行されていない場合、生成部１２は、ページデータＰＤに含まれるオブジェクトＧに対して処理を行うことなく、新たなページデータＰＤを生成する。ただし、生成部１２は、新たなページデータＰＤを生成することなく、ステップＳ１００で受け付けたページデータＰＤを新たなページデータＰＤとしてもよい。
【００７０】
次に、ステップＳ１４５において、制御部１０は、画像形成部２０を制御して、ステップＳ１４０で生成された新たなページデータＰＤに基づいて、オブジェクトＧ及びテキストＴをシートに形成させる。その結果、画像形成部２０は、ステップＳ１４０で生成された新たなページデータＰＤに基づいて、テキストＴ及びオブジェクトＧをシートに形成する。
【００７１】
次に、図１０を参照して、画像形成装置１が実行する画質調整処理について説明する。図１０は、画質調整処理を示すフローチャートである。ステップＳ１５５において、ユーザーは、画質指示欄画像Ｑに情報が付加されたシートを読取部３０に読み取らせる。すなわち、制御部１０は、読取部３０を制御して、画質指示欄画像Ｑに情報が付加されたシートを読み取らせる。その結果、読取部３０は、画質指示欄画像Ｑに情報が付加されたシートを読み取る。ステップＳ１６０において、解析部１３は、読取部３０の読取結果から、画質指示欄画像Ｑに付加された情報を解析する。
【００７２】
次に、ステップＳ１６５において、画像形成装置１は、ページデータＰＤを新たに受け付ける。例えば、制御部１０の記憶部に格納されているページデータＰＤを読み出し、画像形成装置１は、ページデータＰＤを受け付ける。また、例えば、図９に示すステップＳ１００で受け付けたページデータＰＤに含まれるオブジェクトＧに対して画質を調整すると、オブジェクトＧの状態が不良になる場合、調整部１４は、ユーザーに原稿Ｐの画像を再度読取部３０に読み取らせるように促す。そして、ユーザーは、再度、原稿Ｐの画像を読取部３０に読み取らせる、その結果、読取部３０は、原稿Ｐの画像を新たに読取り、新たにページデータＰＤを生成する。そして、画像形成装置１は、ページデータＰＤを新たに受け付ける。例えば、ステップＳ１６５において、読取部３０は、ステップＳ１００で原稿Ｐの画像を読み取ったときと異なる条件で、原稿Ｐの画像を読み取り、新たなページデータＰＤを生成する。具体的には、読取部３０は、ステップＳ１００で原稿Ｐの画像を読み取ったときよりも、読み取った画像の濃度が濃くなるように、原稿Ｐの画像を読み取る。
【００７３】
次に、ステップＳ１７０において、調整部１４は、ステップＳ１６０の解析部１３の解析結果に基づいて、ステップＳ１６５で受け付けた新たなページデータＰＤに含まれるオブジェクトＧの画質を調整する。
【００７４】
（実施形態３）
次に、図１〜３及び図１１を参照して実施形態３に係る画像形成装置１について説明する。実施形態３では、ページデータＰＤから抽出されたオブジェクトＧの確認方法がパネル表示である点で、実施形態３は実施形態１と異なる。以下、実施形態３について、実施形態１と異なる事項について説明し、実施形態１と重複する部分についての説明は割愛する。
【００７５】
まず、図３（ｂ）を参照してページデータＰＤから抽出されたオブジェクトＧの確認方法について説明する。実施形態３では、第２選択画面６０において、パネルボタン６３が選択される。すなわち、実施形態３では、ページデータＰＤから抽出されたオブジェクトＧを表示部４０に表示させて確認する。
【００７６】
図１１は、画質調整画面８０を示す。ページデータＰＤからオブジェクトＧが抽出されると、表示部４０は画質調整画面８０を表示する。画質調整画面８０では、抽出部１１によって抽出されたオブジェクトＧと画質指示欄画像Ｑａとが表示される。図１１に示すように、画質調整画面８０は、オブジェクト表示領域８１、変更ボタン８２、ページデータ表示領域８３、ページ番号表示領域８４、キャンセルボタン８５、ＯＫボタン８６及び画質指示欄画像Ｑａを含む。
【００７７】
オブジェクト表示領域８１には、ページデータＰＤから抽出された複数のオブジェクトＧのうちの１つのオブジェクトＧが表示される。本実施形態において、オブジェクト表示領域８１には、オブジェクトＧ１が表示されている。ページデータ表示領域８３には、縮小されたページデータＰＤ１が表示されている。ページデータ表示領域８３には、オブジェクト表示領域８１に表示されているオブジェクトＧ１を含むページデータＰＤ１が縮小して表示される。従って、オブジェクト表示領域８１に表示されるオブジェクトＧ１のページデータＰＤ１での大まかな位置がわかる。その結果、ユーザーの利便性が向上する。
【００７８】
変更ボタン８２は、オブジェクト表示領域８１に表示されているオブジェクトＧ１を変更するためのボタンである。例えば、変更ボタン８２が選択されると、オブジェクト表示領域８１には、オブジェクトＧ２またはオブジェクトＧ３が表示される。オブジェクト表示領域８１に表示されたオブジェクトＧ１が変更されたことに応じて、ページデータ表示領域８３の表示内容も変更される。例えば、オブジェクト表示領域８１に表示されたオブジェクトＧ１がオブジェクトＧ２に変更された場合、ページデータ表示領域８３には、オブジェクトＧ２を含むページデータＰＤ３が縮小されて表示される。
【００７９】
画質指示欄画像Ｑａは、調整部１４がオブジェクト表示領域８１に表示されているオブジェクトＧの画質を調整するための項目に対応している。具体的には、画質指示欄画像Ｑａには、「カラー」、「画像処理」、「濃度」及び「色調強調」が含まれる。「カラー」は、オブジェクトＧのカラーモードを設定するための項目である。「画像処理」は、オブジェクトＧに行われる画像処理を設定するための項目である。「色調強調」は、オブジェクトＧの色味を設定するための項目である。従って、全てのページデータＰＤのうちからオブジェクトＧを探すことなくオブジェクトＧが表示されると共に、オブジェクトＧの画質を調整するための情報を入力できる。その結果、ユーザーの負担が軽減する。
【００８０】
ユーザーがオブジェクトＧの画質を調整すると判断する場合、ユーザーは、画質指示欄画像Ｑａの該当する項目の欄Ｃを接触する。具体的には、ユーザーは、画質指示欄画像Ｑａの該当する項目の欄Ｃをタップする。ユーザーが画質指示欄画像Ｑａの該当する項目の欄Ｃをタップすることは、ユーザーが画質指示欄画像Ｑａの該当する項目へ情報を入力することに相当する。そして、受付部１５は、タップされた欄Ｃに対応する項目への情報の入力を受け付ける。調整部１４は、受付部１５の受付結果に応じて、オブジェクトＧの画質を調整する。そして、表示部４０は、オブジェクト表示領域８１に表示されているオブジェクトＧを、画質を調整されたオブジェクトＧに変更する。
【００８１】
例えば、オブジェクトＧ１を、モノクロで出力するように変更する場合、ユーザーは、画質指示欄画像Ｑａの「カラー」項目の「モノクロ」の欄Ｃをタップする。受付部１５は、画質指示欄画像Ｑａの「モノクロ」の欄Ｃへの情報の入力を受け付ける。調整部１４は、オブジェクトＧのカラーモードをモノクロに変更する。そして、表示部４０は、オブジェクト表示領域８１に、カラーモードをモノクロに変更したオブジェクトＧを表示する。従って、オブジェクトＧの画質の調整を反映させながらオブジェクトＧの画質を調整できる。その結果、ユーザーの利便性が向上する。
【００８２】
キャンセルボタン８５は、表示部４０上でのオブジェクトＧの画質の調整、及び確認をキャンセルするためのボタンである。キャンセルボタン８５が選択されると、図３（ｂ）で示した第２選択画面６０が表示される。ＯＫボタン８６は、ユーザーが表示部４０上でオブジェクトＧの画質の調整を完了し、確認したことを画像形成装置１に通知するためのボタンである。ＯＫボタン７６が選択されると、生成部１２は、ページデータＰＤに含まれる画質を調整する前のオブジェクトＧを、画質を調整された後のオブジェクトＧに置き換えて、新たなページデータＰＤを生成する。
【００８３】
画像形成部２０は、新たなページデータＰＤに基づいて、オブジェクトＧ及びテキストＴをシートに形成する。従って、表示部４０上でオブジェクトＧの画質の調整を確認しながらオブジェクトＧの画質を調整でき、画質を調整されたオブジェクトＧを含むページデータＰＤに基づいて、テキストＴ及び画質を調整されたオブジェクトＧがシートに形成される。その結果、ユーザーの負担がより軽減する。
【００８４】
次に、図１２を参照して、実施形態３に係る画像形成装置１が実行する処理について説明する。図１２は、画像形成装置１が実行する処理を示すフローチャートである。ステップＳ２００〜ステップＳ２１５は、図６のステップＳ１０〜ステップＳ２５と処理内容が同じであり、また、ステップＳ２４０は、図９のステップＳ１４５と処理内容が同じであるため、説明を省略する。
【００８５】
ステップＳ２２０において、表示部４０は、ステップＳ２１５で抽出された複数のオブジェクトＧのうちの１つのオブジェクトＧと画質指示欄画像Ｑａとを表示する。ユーザーは、表示部４０に表示されたオブジェクトＧの状態を目視で確認する。オブジェクトＧの画質を調整する場合、ユーザーは、画質指示欄画像Ｑａの該当する項目を接触する。一方、ユーザーがオブジェクトＧの画質を調整しないと判断する場合、すなわち、オブジェクトＧの画質の調整が不要であると判断する場合、ユーザーは、画質調整画面８０のＯＫボタン８６を接触する。ユーザーが画質調整画面８０のＯＫボタン８６を接触することは、受付部１５が、原稿Ｐの画像の出力指示を受け付けることに相当する。
【００８６】
ステップＳ２２５において、受付部１５は、画質指示欄画像Ｑａへの入力を受け付けたか否かを判定する。ステップＳ２２５において肯定的判定（ＹＥＳ）がされる場合、処理はステップＳ２４５に進む。ステップＳ２４５において、調整部１４は、ステップＳ２２０で受付部１５が受け付けた内容に応じてオブジェクトＧの画質を調整する。ステップＳ２５０において、表示部４０は、ステップＳ２４５で画質を調整されたオブジェクトＧを表示する。
【００８７】
一方、ステップＳ２２５において否定的判定（ＮＯ）がされる場合、処理はステップＳ２３５に進む。既にステップＳ２４５でオブジェクトＧの画質が調整されている場合、ステップＳ２３５において、生成部１２は、ページデータＰＤに含まれる画質を調整する前のオブジェクトＧを、画質を調整された後のオブジェクトＧに置き換えて、新たなページデータＰＤを生成する。一方、オブジェクトＧの画質が調整されていない場合、生成部１２は、ページデータＰＤに含まれるオブジェクトＧに対して処理を行うことなく、新たなページデータＰＤを生成する。ただし、生成部１２は、新たなページデータＰＤを生成することなく、ステップＳ１００で受け付けたページデータＰＤを新たなページデータＰＤとしてもよい。
【００８８】
以上、図面（図１〜図１２）を参照しながら本発明の実施形態について説明した。但し、本発明は、上記の実施形態に限られるものではなく、その要旨を逸脱しない範囲で種々の態様において実施することが可能である（例えば、下記に示す（１）〜（６））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００８９】
（１）図２を参照して説明したように、読取部３０が原稿Ｐの画像を読み取ってページデータＰＤを生成した。ただし、画像形成装置１は、外部装置からページデータＰＤの印刷ジョブを受領してもよい。印刷ジョブには、ＰＪＬ（Ｐｒｉｎｔ  Ｊｏｂ  Ｌａｎｇｕａｇｅ）によってオブジェクトＧ１〜Ｇ３の各々にフラグが立っている場合がある。この場合、抽出部１１は、フラグを参照してページデータＰＤのうちからオブジェクトＧ１〜Ｇ３を抽出してもよい。また、画像形成装置１が外部装置からページデータＰＤを受領し、受領したページデータＰＤにオブジェクトＧ１〜Ｇ３がタグで埋め込まれている場合がある。この場合、抽出部１１は、タグを参照してオブジェクトＧ１〜Ｇ３を抽出してもよい。
【００９０】
（２）図５を参照して説明したように、集約データＤ１では、オブジェクトＧ１〜Ｇ３は、集約データＤ１の上から集約データＤ１の下に向かう順序で配置されていた。ただし、集約データＤ１にオブジェクトＧ１〜Ｇ３が集約されていればよく、集約データＤ１では、オブジェクトＧ１〜Ｇ３は、集約データＤ１の下から集約データＤ１の上に向かう順序で配置されていてもよい。また、オブジェクトＧ１〜Ｇ３は、集約データＤ１内でランダムに配置されていてもよい。
【００９１】
（３）図２を参照して説明したように、ページデータＰＤには複数のオブジェクトＧ１〜Ｇ３が含まれた。ただし、ページデータＰＤには単数のオブジェクトＧが含まれていてもよい。この場合、ページデータＰＤから単数のオブジェクトＧが抽出され、単数のオブジェクトＧがシートに形成される。従って、ページデータＰＤの全てのページをシートに形成しなくとも、オブジェクトＧの状態を確認できる。その結果、ユーザーの負担が軽減する。
【００９２】
（４）図３（ａ）を参照して説明したように、自動ボタン５２、ピクチャーボタン５３、グラフボタン５４、及び表ボタン５５から選択されたボタンに応じて、受付部１５は、抽出部１１による抽出の対象であるオブジェクトＧの種類を受け付けた。ただし、自動ボタン５２、ピクチャーボタン５３、グラフボタン５４、及び表ボタン５５から、１つのボタンが選択されてもよいし、２つのボタンが選択されてもよい。１つのボタンが選択される場合、受付部１５は、オブジェクトＧの種類として全部又は１つの種類を受け付ける。また、２つのボタンが選択される場合、受付部１５は、オブジェクトＧの種類として２つの種類を受け付ける。従って、ページデータＰＤから、よりユーザーが所望するオブジェクトＧを抽出しやすい。
【００９３】
（５）図８を参照して説明したように、新たな集約データＤ３には、画質指示欄画像Ｑが含まれた。ただし、新たな集約データＤ３には、画質を調整された複数のオブジェクトＧが集約されていればよく、画質指示欄画像Ｑが含まれていなくてもよい。
【００９４】
（６）図２を参照して説明したように、オブジェクトＧ１〜Ｇ３の種類は、ピクチャー、表、及びグラフであるが、オブジェクトＧ１〜Ｇ３の種類には、線図が含まれていてもよい。線図は、例えば四角形又は円のような図形を示す。線図は、例えばベクタ形式である。
【産業上の利用可能性】
【００９５】
本発明は、画像形成装置の分野に利用可能であり、産業上の利用可能性を有する。
【符号の説明】
【００９６】
１        画像形成装置
１０      制御部
１１      抽出部
１２      生成部
１３      解析部
１４      調整部
１５      受付部
２０      画像形成部
３０      読取部
４０      表示部
ＰＤ      ページデータ
Ｇ        オブジェクト
Ｔ        テキスト
Ｄ１      集約データ
Ａ        集約画像
Ｑ        画質指示欄画像
【図１】
2020127142.tif 000003
【図２】
2020127142.tif 000004
【図３】
2020127142.tif 000005
【図４】
2020127142.tif 000006
【図５】
2020127142.tif 000007
【図６】
2020127142.tif 000008
【図７】
2020127142.tif 000009
【図８】
2020127142.tif 000010
【図９】
2020127142.tif 000011
【図１０】
2020127142.tif 000012
【図１１】
2020127142.tif 000013
【図１２】
2020127142.tif 000014